(57)【要約】【課題】棚板を支柱の所要箇所に容易に設定することができる組み立て作業性に優れるとともに、その位置調整を容易にして安定に棚板を配置して耐久性に優れた取付部材の固定構造を提供する。【解決手段】支柱１２の高さ方向の所定位置に設けられた係合部１２ａと、係合部１２ａに嵌合する嵌合部１４を備え支柱に左右水平方向に分割可能に装着されその外周にテーパ面が形成された半割円筒状のブッシュ部材１５、１５ａと、ブッシュ部材１５、１５ａのテーパ面に当接するテーパ面を内周に備えその両先端が湾曲して略Ｃ字状に形成されその基部側が棚板１３に固定される取付部材係止具１６と、取付部材係止具１６の開口した先端側の凸状部１６ｂにその両端の溝部１７ａがスライドして装着される分割円筒状のスライド固定部材１７と、を有するように取付部材の固定構造１０を構成した。【選択図】図２
2005095480.tif 000002
【特許請求の範囲】
【請求項１】
店舗や家屋、工場、ワンボックスカーに配置される物品収納ケースの支柱に係合支持される棚板や側面板などの取付部材の固定構造であって、
前記支柱の高さ方向の所定位置に設けられた係合部と、前記係合部に嵌合する嵌合部を備え前記支柱に左右水平方向に分割可能に装着されその外周にテーパ面が形成された半割円筒状のブッシュ部材と、前記ブッシュ部材のテーパ面に当接するテーパ面を内周に備えその両先端が湾曲して略Ｃ字状に形成されその基部側が前記取付部材に固定される取付部材係止具と、前記取付部材係止具の開口した先端側のスライド係止部にその両端がスライドして装着される分割円筒状のスライド固定部材と、を有することを特徴とする取付部材の固定構造。
【請求項２】
前記取付部材係止具に装着されるスライド固定部材及び取付部材係止具の上端部を覆うリング状カバー部を備えたことを特徴とする請求項１記載の取付部材の固定構造。
【発明の詳細な説明】
【技術分野】
【０００１】
本発明は、店舗のディスプレイや、家庭や工場の整理棚、工具保持棚などの物品収納ケースの支柱に係止される棚板や側面板などの取付部材を固定するための組み立てが容易にできる取付部材の固定構造に関する。
【背景技術】
【０００２】
従来、金属パイプなどの支柱に棚板や側面板などを任意の高さで固定する方法としては、長方形状の棚板の４隅にテーパ孔を設け、支柱の所望位置に前記棚板のテーパ孔に一致する下部に向かって外径が大きくなるテーパ孔を有したスリーブを介して棚板と支柱を固定する方法が一般的であった。
例えば、特許文献１には、棚板には支柱となるポールの外径より大きい内径の円筒状の貫通孔が設けられ、前記貫通孔には棚板上部側が小径となるテーパ形状の内部構造を有するブッシュが装着されてポール挿通孔が形成され、前記ポール挿通孔に挿通された前記ポールにはブッシュの内面に一致するテーパ形状の外部構造を有するスリーブが外嵌され、前記スリーブは略半円筒状の２つのスリーブ部材より構成され、内面には前記ポールの外面に設けられた係合形状部と係合する係合形状部を有し、前記スリーブ部材は前記ポールの半周以上に及ぶ嵌合部分を有して前記棚板と前記ポールを固定するようにした棚板の固定構造が開示されている。
【特許文献１】特開平１１−５６４８９号公報
【発明の開示】
【発明が解決しようとする課題】
【０００３】
しかし、前記特許文献１に記載の棚板の固定構造では以下の課題を有する。
（１）複数の棚板を支柱の所定箇所にそれぞれ固定するためには、その高さ順となるように棚板のポール挿通孔を挿入せねばならず、既存の棚板の中間位置などに新たな棚板を設置する際にはその上部側の棚板を全て取り外してから設定する必要があり、組み立ての作業性が悪いという課題があった。
（２）さらに、棚板面にポール挿通孔が固定して形成されるので、一旦ポール挿通孔を設定してしまうとその位置調整ができず、支柱の取り付け誤差や形状のばらつきなどを吸収することができず、棚板にがたつきを生じやすいという課題があった。
（３）棚板に重量物が載せられたときに、その荷重は棚板に設けられたテーパ形状の貫通孔のテーパ面で受けることになり、木質材など合板材などからなる棚板への負荷が過剰となって破損が生じやすく耐久性に欠ける場合があるという課題があった。
【０００４】
本発明は前記従来の課題を解決するためになされたもので、棚板や側面板などの取付部材を支柱の所要箇所に容易に設定することができる組み立て作業性に優れるとともに、その位置調整を容易にして安定に棚板や側面板を配置して耐久性に優れた取付部材の固定構造を提供することを目的とする。
【課題を解決するための手段】
【０００５】
本発明は、店舗や家屋、工場、ワンボックスカーに配置される物品収納ケースの支柱に係合支持される取付部材の固定構造であって、前記支柱の高さ方向の所定位置に設けられた係合部と、前記係合部に嵌合する嵌合部を備え前記支柱に左右水平方向に分割可能に装着されその外周にテーパ面が形成された半割円筒状のブッシュ部材と、前記ブッシュ部材のテーパ面に当接するテーパ面を内周に備えその両先端が湾曲して略Ｃ字状に形成されその基部側が前記棚板や側面板に固定される取付部材係止具と、前記取付部材係止具の開口した先端側のスライド係止部にその両端がスライドして装着される分割円筒状のスライド固定部材と、を有するように構成されている。
また、本発明は、前記取付部材係止具にスライドして装着される固定部材及び取付部材係止具の上端部を覆うリング状カバー部を備えたことにも特徴を有している。
【発明の効果】
【０００６】
本発明の請求項１記載の取付部材の固定構造は、支柱の高さ方向の所定位置に設けられた係合部に嵌合する嵌合部を備え左右水平方向に分割可能に装着される半割円筒状のブッシュ部材と、前記ブッシュ部材のテーパ面に当接するテーパ面を内周に備え略Ｃ字状に形成されて取付部材に固定される取付部材係止具と、前記取付部材係止具の先端側のスライド係止部にその両端がスライドして装着される分割円筒状のスライド固定部材とを有するので、棚板や側面板などの取付部材の順によらず支柱の所要箇所に容易に取付部材を設定することができる。さらに、棚板や側面板の四隅や辺部などに取付部材係止具をボルトなどの接合手段で取り付けてその位置を調整することが容易にでき、取付部材を支柱に安定して支持配置でき耐久性にも優れている。
【０００７】
本発明の請求項２記載の取付部材の固定構造は、前記取付部材係止具にスライドして装着されるスライド固定部材及び取付部材係止具の上端部を覆うリング状カバー部を備えるので、埃や塵などがテーパ面に付着して動作不良が起こることなどが防止されるとともに、カラフルなリング状カバー部を装着することで、物品収納ケースに外観に新たなデザイン性を付与することも可能になる。
【発明を実施するための最良の形態】
【０００８】
（実施の形態１）
図１は本発明の実施の形態１に係る取付部材の固定構造が適用される物品収納ケースの斜視図であり、図２は取付部材の固定構造の側面断面図であり、図３はその平面断面図である。
図１〜図３において、１０は実施の形態１に係る取付部材の固定構造、１１は取付部材の固定構造１０が適用される店舗や工場などに配置される物品収納ケース、１２は床面などに立設される金属パイプやプラスチックパイプからなる６本の支柱、１３は支柱１２の所定高さ位置毎に係止される上中下各３枚からなる棚板（取付部材の一例）である。
【０００９】
取付部材の固定構造１０は図２に示すように、支柱１２の高さ方向の所定位置に複数凸設又は凹設された円形状の係合部１２ａに嵌合する嵌合部１４を備え左右水平方向に分割可能に装着される半割円筒状のブッシュ部材１５、１５ａと、同ブッシュ部材１５、１５ａのテーパ面に当接するテーパ面を内周に備え略Ｃ字状に形成されて棚板１３の隅部や辺部にＬ字状金具１６ａなどを介してボルトや接着材などの接合手段により固定される取付部材係止具１６と、取付部材係止具１６の両先端側のスライド係止部１６ｂにその両端がそれぞれスライド嵌合して装着される溝部１７ａを備えて分割円筒状に形成されたスライド固定部材１７とを有している。
【００１０】
支柱１２は中空パイプ状に形成されて床面に立設されるように配置され、その外周面に凹設又は凸設された円盤状などの係合部１２ａが複数設けられており、この係合部１２ａにブッシュ部材１５、１５ａの嵌合部１４が嵌合することによってブッシュ部材１５、１５ａが確実に固定されるようになっている。なお、本実施形態では係合部１２ａを複数設けたものとしているが、単数であってもよい。
【００１１】
棚板１３は金属材や木質材、パーティクルボード材、硬質プラスチック材あるいはこれらを組み合せた複合材などからなり、全体が略矩形板状に形成されている。棚板１３の隅部及び／又は辺部には必要に応じて取り付け金具などを介して金属製や硬質プラスチック製の取付部材係止具１６が固定される。
取付部材係止具１６は金属やプラスチックなどで形成され、本実施形態では、そのＣ字状に開口した先端が支柱１２の中心軸線を少し超えるように配置され、これによって支柱１２をＣ字状の内部に抱き込んだ状態で保持できるようにしているが、取付部材係止具１６の形状については特に本実施形態に限定するものではなく、例えば開口した先端が支柱１２の中心軸線と同位置の断面視半円形状などにして、支柱１２を保持可能としたものであればよい。
なお、取付部材係止具１６を可撓性のプラスチック材などで形成して、そのＣ字状に開口した先端を支柱１２の軸線に垂直方向から押し入れることで容易に棚板１３を支柱１２の所定位置に固定できるようにしてもよい。このようなプラスチック材としては、例えばポリエチレン等のポリオレフィン樹脂、ポリアミド樹脂、ポリエステル系樹脂、ＡＢＳ、ポリスチレン系樹脂、アクリル系樹脂等の熱可塑性樹脂、エポキシ樹脂やポリウレタン樹脂等の熱硬化性樹脂などが使用可能であり、射出成形等の周知の技術を適用して成形することができる。
【００１２】
スライド固定部材１７は、金属製や硬質のプラスチックなどからなり、その部分円筒状に形成された両側の溝部１７ａを取付部材係止具１６のスライド係止部１６ｂに嵌合させることによって、取付部材係止具１６及びスライド固定部材１７の内部に保持されるブッシュ部材１５、１５ａを介して支柱１２に棚板１３が固定されている。なお、前記スライド固定部材１７は可撓性を有する素材から形成することもできる。
【００１３】
ブッシュ部材１５、１５ａは前記のようなプラスチックや金属などでそれぞれが半割円筒状に形成された左右一対の部材であり、その内周面に支柱１２の係合部１２ａに嵌合される嵌合部１４が設けられている。ブッシュ部材１５、１５ａは、その外周面が上方に向かって縮径したテーパ面を有しており、このテーパ面がスライド固定部材１７や取付部材係止具１６の内面に設けられ上方に縮径したテーパ面に密着して当接されるようにしている。なおブッシュ部材１５、１５ａは、支柱１２と取付部材係止具１６との間に介挿されるので、引張強度などは必要なく軟質のプラスチック材で形成して、全体の歪みや変形に対する吸収材として機能させるようにしてもよい。
【００１４】
図４は取付部材の固定構造１０の設定方法を示す分解斜視図である。以下、図４を参照しながら、本実施の形態１の取付部材の固定構造１０を用いて物品収納ケース１１の各支柱１２の所定位置に棚板１３を設定する方法について説明する。
まず、図４（ａ）に示すように、床面などに立設される支柱１２の所定位置に相当する係合部１２ａをブッシュ部１５、１５ａの嵌合部１４に嵌合するように支柱１２の左右両方向から近接させて係止させる。
次に、図４（ｂ）に示すように、Ｌ字状金具１６ａを介して取り付けられた取付部材係止具１６の開口した先端部を支柱１２側面側から押し入れてその内部に棚板１３が位置付けられ、その上部からスライド固定部材１７を支柱１２の軸線方向に移動させて、取付部材係止具１６のスライド係止部１６ｂにスライドさせて嵌合させる。
こうして図４（ｃ）に示すように、取付部材係止具１６及びスライド固定部材１７とが結合して全体が円筒状となった部分を前記ブッシュ部材１５、１５ａの上から被せるように装着して、棚板１３を支柱１２の所定位置に固定する（図４（ｄ）参照）。
【００１５】
図５は取付部材係止具及び、この取付部材係止具の開口部に装着して全体を円筒状に連結するためのスライド固定部材における変形例１〜８を示す説明図である。
図示するように、取付部材係止具Ａ及びスライド固定部材Ｂ、これらに接合される棚板接合用金具Ｃは種々の組み合せパターンが可能である。変形例１は棚板接合用金具を設けることなく直接棚板に接合する場合を示している。変形例２は取付部材係止具Ａ及びスライド固定部材Ｂの両者に棚板接合用金具Ｃを設けてその隅部で隣接する棚板同士を接合する場合を示している。変形例３は２本の金具をそれぞれ取付部材係止具Ａ及びスライド固定部材Ｂに連結した例を示している。変形例４は棚板の辺部で両棚板を接合する場合の配置を示している。変形例５〜８はそれぞれ異なる棚板接合用金具Ｃを取付部材係止具Ａ及びスライド固定部材Ｂに配置した各バリエーションの例を示しており、変形例７、変形例８では棚板接合用金具Ｃに矩形状や円形状の孔部を設け、ここに棚板の凸部等が必要に応じて係止できるようにしている。
【００１６】
実施の形態１の取付部材の固定構造１０は以上のように構成されるので、棚板１３の順によらず支柱１２の所要箇所に容易に棚板を設定することができる。また、棚板１３の四隅や辺部などに取付部材係止具１６をボルトなどの接合手段で取り付けてその位置を容易に調整することができ、棚板１３を支柱１２に工具などを用いることなく安定的かつ迅速に配置できる。
【００１７】
（実施の形態２）
図６〜図１０は実施の形態２の取付部材の固定構造の組み立て方法を示す斜視図である。
図１０の最終組み立て図に示されるように実施の形態２の取付部材の固定構造２０は、取付部材係止具１６の上端側にリング状カバー部２１が装着されている点と、取付部材係止具１６にアングル状の棚板又はアングル係止金具２２が取り付けられる点とで、前記実施の形態１のものと異なっている。なお、その他の構成は同様であるので、これらについては同一の符号を付してその説明を省略する。
【００１８】
図１１は実施の形態２の取付部材の固定構造を有した物品収納ケースが配置されるワンボックスカーの平面図及び正面図である。
図１１に示すように実施の形態２の取付部材の固定構造２０は、ワンボックスカー２３の後部に搭載される工具整理棚などの物品収納ケース２４に適用され、その棚板２５の辺部や隅部に取付部材係止具１６が装着されて用いられるようになっている。
物品収納ケース２４はその四隅などの支柱１２上部及び／又は下部に上下に伸縮するねじ構造などを備えた突張材２６が配置されている。ワンボックスカー２３に物品収納ケース２４を固定配置する際には、この突張部材２６の軸を回転させて先端側に伸長させて、その先端をワンボックスカー２３の天井部に固定金具２７を介して取り付けられ略三角形状に形成された受具２８に当接させて突っ張るようにして全体を固定するようにしている。なお、ワンボックスカー２３には固定された物品収納ケース２４の棚板２５などに自在に出し入れされ、前記取付部材の固定構造２０を有して組み立てられた小物品収納ケース２９が配置されている。
リング状カバー部２１は、比較的軟質の合成樹脂からなり、そのリング状の一部が分断された切れ目２１ａを備え、この切れ目２１ａを手で押し広げることにより、支柱１２の側面側から挿入して嵌め込めるようにしている。なお、リング状カバー部２１には外周側に突出した把持部２１ｂが必要に応じて形成され、リング状カバー部２１を取付部材係止具１６及びスライド固定部材１７の上端に装着したり、取り外したりする際にその作業を容易にできるようにしている。
アングル係止金具２２は、複数の金属パイプやプラスチックパイプを組み合せて形成させることのできる剛性と軽量性を備えた構造部材であり、取付部材係止具１６の側面部に溶接などの結合手段で結合され、棚板の隅部や辺部に取り付けられるようにしている。
【００１９】
図１２〜図１５はそれぞれ、取付部材係止具１６、スライド固定部材１７、及びアングル係止金具２２との可能な組み合せを有した変形例Ａ〜Ｄの斜視図及びその平面図である。
図１２の変形例Ａにおいてはアングル係止金具２２の開き角度が１８０度より大きく形成され、図１３〜図１５の変形例Ｂ〜Ｄでは約９０度にして取付部材係止具１６への取り付け位置や角度をそれぞれ異ならせたり、あるいは、取付部材係止具１６とスライド固定部材１７とにおける溝部とスライド係止部との雄雌の嵌合形態を逆に形成させたりした例などを示しており、これらを必要に応じて組み合せて全体の取付部材の固定構造を構成することができる。
【００２０】
以下、取付部材の固定構造２０の組み立て方法について図面を参照しながら説明する。まず、図６、図７に示すように支柱１２の高さ方向の所定位置に複数凸設又は凹設された円形状の係合部１２ａにブッシュ部材１５、１５ａの嵌合部１４を嵌め込むように装着して位置決めする。次に、図８に示すように取付部材係止具１６の開口部側を支柱１２に押し入れて、ブッシュ部材１５、１５ａの真上側から支柱１２に沿って下方に移動させブッシュ部材１５、１５ａ外周囲のテーパ面と、取付部材係止具１６のテーパ面とを当接させる。
こうして、仮止めされた取付部材係止具１６の開口部に形成されたスライド係止部１６ｂにスライド固定部材１７の溝部１７ａなどを上下にスライドさせ嵌合するとともに、リング状カバー部２１の切れ目２１ａを開口させて支柱１２に押し入れ、これを取付部材係止具１６とスライド固定部材１７上部に装着する（図９）。
以上のようにして、図１０に示すように取付部材の固定構造２０により支持されたアングル状などの棚板２５を有した物品収納ケース２４をワンボックスカー２３などに設定することができる。
【００２１】
実施の形態２の取付部材の固定構造２０は、取付部材係止具１６にスライドして装着されるスライド固定部材１７及び取付部材係止具１７の上端部を覆うリング状カバー部２１を備えるので、埃や塵などが付着しにくく、掃除などを容易にできるとともに、カラフルなリング状カバー部を装着することで、ワンボックスカー２３などの自動車に搭載される物品収納ケース２４や店舗の陳列棚などにカラフルで斬新なデザイン性を付与することができる。また、リング状カバー部２１には切れ目２１ａと把持部２１ｂとを有するので、その装着や取り外しを容易にして取り扱い性にも優れた取付部材の固定構造を提供することができる。
【００２２】
（実施の形態３）
図１６は実施の形態３の取付部材の固定構造を備えた物品収納ケースの要部拡大斜視図である。
図１６に示されるように実施の形態３の取付部材の固定構造３０は、店舗や家屋、工場、ワンボックスカーに配置される物品収納ケースの支柱に壁状に係合支持されるメッシュ状やフレーム状、多孔板状などに形成された側面板（取付部材）３１の高さ位置の異なる複数箇所に適用することができ、その構造強度を高めるとともに、デザイン性や収納の安全性にも優れている。
なお、側面板３１が係止される取付部材係止具１６や、支柱１２の高さ方向の所定位置に設けられた係合部１２ａ、係合部１２ａに嵌合する嵌合部を備え支柱１２に左右水平方向に分割可能に装着されその外周にテーパ面が形成された半割円筒状のブッシュ部材１５、取付部材係止具１６にその両端がスライドして装着される分割円筒状のスライド固定部材１７などの構成は前記実施の形態１のものと同様であるので、これらについては同一の符号を付してその説明は省略する。
本実施の形態３の取付部材の固定構造３０は前記実施の形態１や実施の形態２の取付部材の固定構造１０、２０のものと適宜組み合わせて、店舗や家屋、工場、ワンボックスカーに配置される物品収納ケースなどの支柱に適用することができ、これによって多様な形態の物品収納ケースにおける組み立ての利便性や汎用性をさらに高めることができる。
【産業上の利用可能性】
【００２３】
本発明は、店舗のディスプレイや、家庭や工場の整理棚、車に搭載される工具保持棚などの物品収納ケースに適用される取付部材の固定構造の分野に利用でき、棚板や側面板などの取付部材を支柱の所要箇所に容易に設定することができ、組み立て作業性と耐久性に優れた取付部材の固定構造を提供できる。
【図面の簡単な説明】
【００２４】
【図１】実施の形態１の取付部材の固定構造が適用される物品収納ケースの斜視図である。
【図２】取付部材の固定構造の側面断面図である。
【図３】取付部材の固定構造の平面断面図である。
【図４】取付部材の固定構造の設定方法を示す分解斜視図である。
【図５】取付部材係止具及びスライド固定部材における変形例の説明図である。
【図６】実施の形態２の取付部材の固定構造の分解斜視図Ａである。
【図７】実施の形態２の取付部材の固定構造の分解斜視図Ｂである。
【図８】実施の形態２の取付部材の固定構造の分解斜視図Ｃである。
【図９】実施の形態２の取付部材の固定構造の分解斜視図Ｄである。
【図１０】実施の形態２の取付部材の固定構造の分解斜視図Ｅである。
【図１１】ワンボックスカーの後部に搭載される物品収納ケースの説明図である。
【図１２】取付部材係止具の可能な組み合せを有した変形例Ａの説明図である。
【図１３】取付部材係止具の可能な組み合せを有した変形例Ｂの説明図である。
【図１４】取付部材係止具の可能な組み合せを有した変形例Ｃの説明図である。
【図１５】取付部材係止具の可能な組み合せを有した変形例Ｄの説明図である。
【図１６】実施の形態３の取付部材の固定構造を備えた物品収納ケースの要部拡大斜視図である。
【符号の説明】
【００２５】
１０  実施の形態１の取付部材の固定構造
１１  物品収納ケース
１２  支柱
１２ａ  係合部
１３  棚板
１４  嵌合部
１５、１５ａ  ブッシュ部材
１６  取付部材係止具
１６ａ  Ｌ字状金具
１６ｂ  スライド係止部
１７  スライド固定部材
１７ａ  溝部
２０  実施の形態２の取付部材の固定構造
２１  リング状カバー部
２１ａ  切れ目
２１ｂ  把持部
２２  アングル係止金具
２３  ワンボックスカー
２４  物品収納ケース（工具棚）
２５  棚板（取付部材）
２６  突張部材
２７  固定金具
２８  受具
２９  小物品収納ケース
３０  実施の形態３の取付部材の固定構造
３１  側面板（取付部材）
【図１】
2005095480.tif 000003
【図２】
2005095480.tif 000004
【図３】
2005095480.tif 000005
【図４】
2005095480.tif 000006
【図５】
2005095480.tif 000007
【図６】
2005095480.tif 000008
【図７】
2005095480.tif 000009
【図８】
2005095480.tif 000010
【図９】
2005095480.tif 000011
【図１０】
2005095480.tif 000012
【図１１】
2005095480.tif 000013
【図１２】
2005095480.tif 000014
【図１３】
2005095480.tif 000015
【図１４】
2005095480.tif 000016
【図１５】
2005095480.tif 000017
【図１６】
2005095480.tif 000018